(57)【要約】【課題】  構成が簡単で、かつ、被発光部材内に発光素子などを埋設することなく、被発光部材全体が発光しているように見える移動通信機器用アクセサリを提供する。【解決手段】  ループバンド２３を内部に複数の気泡２３ａを有する光透過性材で形成し、このループバンド２３の両端部２３ｃ、２３ｄとＬＥＤ２１ａ〜２１ｃとの間に三角柱状のプリズム２２を配設する。そして、プリズム２２の底面２２ａに対向してＬＥＤ２１ａ〜２１ｃを配設し、プリズム２２の両側面２２ｂ、２２ｃのそれぞれに対向してループバンド２３の両端部２３ｃ、２３ｄを配設する。これにより、ＬＥＤ２１ａ〜２１ｃからの光がプリズム２２を通ってループバンド２３内に伝達（誘導）され、この光はループバンド２３内の気泡２３ａに当って屈折、拡散し、ループバンド２３全体が発光しているように見える。【選択図】  図３
2006237799.tif 000002
【特許請求の範囲】
【請求項１】
移動通信機器からの電波を受信するアンテナと、このアンテナによって電波を受信した際に駆動電圧電流を出力する駆動手段と、この駆動電圧電流によって駆動される表示手段とを備えた移動通信機器用アクセサリであって、
前記表示手段が発光源と被発光部材とを備え、この被発光部材が内部に複数の気泡を有する光透過性材で形成され、この被発光部材の端部に対向して前記発光源が配設されている、
ことを特徴とする移動通信機器用アクセサリ。
【請求項２】
前記被発光部材の端部と前記発光源との間にプリズムが配設されている、
ことを特徴とする請求項１に記載の移動通信機器用アクセサリ。
【請求項３】
前記被発光部材がループバンドであり、前記プリズムが三角柱状に形成され、このプリズムの三角形の底面に対向して前記発光源が配設され、前記三角形の両側面のそれぞれに対向して前記ループバンドの両端部が配設され、その両端部が前記三角形の両側面に沿うように形成されている、
ことを特徴とする請求項２に記載の移動通信機器用アクセサリ。
【請求項４】
前記発光源が、異なる色を発光する複数の発光素子から構成されている、
ことを特徴とする請求項１〜３のいずれか１項に記載の移動通信機器用アクセサリ。
【発明の詳細な説明】
【技術分野】
【０００１】
本発明は、携帯電話やＰＨＳなどの移動通信機器に取り付けられ、または、移動通信機器とともに携帯されるアクセサリに関し、特に、移動通信機器の発着信を発光によって知らせる移動通信機器用アクセサリに関するものである。
【背景技術】
【０００２】
移動通信網において、携帯電話などの移動通信機器への着信を知らせるものとして、移動通信機器に取り付けられるアクセサリ（ストラップ）が、着信の際に発光するものがある。また、このようなアクセサリの中には、ループバンド（被発光部材）が発光するものも知られている（例えば、特許文献１参照。）。このアクセサリは、携帯電話からの電波を受信して電圧に変換する検波手段と、この検波手段による電圧を増幅する増幅手段と、この増幅手段により制御される複数の発光素子が埋設されたループバンドとを備えている。そして、携帯電話が発信または着信すると、携帯電話からの電波を受信して、ループバンド内の発光素子が発光するものである。
【特許文献１】特開２００１−２３１６２４号公報
【発明の開示】
【発明が解決しようとする課題】
【０００３】
ところで、上記のようなアクセサリでは、ループバンド内に埋設された複数の発光素子が発光するため、あたかもループバンド全体が発光しているように見え、携帯電話への着信をより明瞭に知らせることができる。しかしながら、このようなアクセサリでは、複数の発光素子や電極をループバンド内に埋設するため、構成が複雑で部品点数も多く、製造コストが高いものとなる。また、ループバンド内に複数の発光素子や電極が埋設されているため、ループバンドを強く曲げたり、繰り返して曲げたりすることで、発光素子や電極が損傷するおそれがある。
【０００４】
そこで本発明は、構成が簡単で、かつ、被発光部材内に発光素子などを埋設することなく、被発光部材全体が発光しているように見える移動通信機器用アクセサリを提供することを目的とする。
【課題を解決するための手段】
【０００５】
上記目的を達成するために、請求項１に記載の発明は、移動通信機器からの電波を受信するアンテナと、このアンテナによって電波を受信した際に駆動電圧電流を出力する駆動手段と、この駆動電圧電流によって駆動される表示手段とを備えた移動通信機器用アクセサリであって、表示手段が発光源と被発光部材とを備え、この被発光部材が内部に複数の気泡を有する光透過性材で形成され、この被発光部材の端部に対向して発光源が配設されていることを特徴としている。
（作用）
移動通信機器からの電波を受信すると発光源が発光し、その光が被発光部材の端部から被発光部材内を透過する。この際、被発光部材内の気泡によって光が屈折（乱反射）し、被発光部材全体が発光しているように視覚される。
【０００６】
請求項２に記載の発明は、請求項１に記載の移動通信機器用アクセサリにおいて、被発光部材の端部と発光源との間にプリズムが配設されていることを特徴としている。
（作用）
被発光部材の端部と発光源との間に配設されたプリズムによって、発光源からの光が的確かつ効率的に被発光部材内に伝達（誘導）され、被発光部材全体が良好に発光しているように視覚される。
【０００７】
請求項３に記載の発明は、請求項２に記載の移動通信機器用アクセサリにおいて、被発光部材がループバンドであり、プリズムが三角柱状に形成され、このプリズムの三角形の底面に対向して発光源が配設され、三角形の両側面のそれぞれに対向してループバンドの両端部が配設され、その両端部が三角形の両側面に沿うように形成されていることを特徴としている。
（作用）
発光源からの光がプリズムの底面を通って両側面に伝わり、ループバンドの両端部がプリズムの両側面に沿うように形成されているため、その光が漏れることなくより的確かつ効率的にループバンド内に伝達される。しかも、ループバンドの両端部から光が透過されるため、ループバンド全体がより均一に発光しているように視覚される。
【０００８】
請求項４に記載の発明は、請求項１から３のいずれかに記載の移動通信機器用アクセサリにおいて、発光源が、異なる色を発光する複数の発光素子から構成されていることを特徴としている。
（作用）
異なる色を発光する複数の発光素子によって、多様な色を多様なパターンで発光させることが可能となる。
【発明の効果】
【０００９】
本発明によれば、ループバンドなどの被発光部材の端部に対向して発光源を配設するだけの構成で、すなわち、簡単な構成で被発光部材内に複数の発光素子などを埋設することなく、被発光部材全体が発光しているように視覚させることができる。この結果、製造コストが低減され、また、被発光部材内に発光素子などが埋設されていないため、被発光部材を曲げたりしても発光素子などが損傷することもない。また、発光源と被発光部材との間にプリズムを配設することで、被発光部材がより良好かつ均一に発光しているように視覚させることができる。しかも、プリズムを配設するだけなので、構成も簡単である。さらに、発光源を発光色が異なる複数の発光素子で構成することで、多様な色を多様なパターンで発光させることができ、被発光部材内に複数の発光素子を埋設する場合と同等の発光パターンを演出することができる。
【発明を実施するための最良の形態】
【００１０】
以下、本発明を図示の実施形態に基づいて説明する。
【００１１】
図１は、本発明の実施形態に係るストラップ１（移動通信機器用アクセサリ）の正面図である。図中符号２は絶縁チューブ製の吊り紐で、その中央部で折り曲げられ、この吊り紐２の両端部に本体３（モジュール）が取り付けられ、さらに、この本体３にループバンド２３（被発光部材）が取り付けられている。そして、吊り紐２を携帯電話（移動通信機器）のフック孔などに結び付けることで、ストラップ１が携帯電話などに取り付けられるものである。
【００１２】
このストラップ１は、図２に示すように主として、移動通信機器からの電波を受信するアンテナ１１と、このアンテナ１１によって電波が受信された際に駆動電圧電流を出力する駆動手段１２と、この駆動電圧電流によって駆動される表示手段１３と、電池１４とを備えている。
【００１３】
アンテナ１１は銅線で、本体３から伸び、吊り紐２の折り曲げられた一方のチューブ２ａ内に埋め込まれている（図１参照）。駆動手段１２は、図２に示すように、同調回路１２ａと検波回路１２ｂと増幅回路１２ｃとドライバ回路１２ｄとを備えている。同調回路１２ａは、アンテナ１１が受信した電波の中から、所定の周波数だけを選択する役目を有し、検波回路１２ｂは、同調回路１２ａからの電波を直流成分に復調するものであり、この同調回路１２ａと検波回路１２ｂとは、アクティブ型ショットキーバリアダイオードで構成されている。増幅回路１２ｃは、検波回路１２ｂからの電流を後述する発光源２１が発光する電流値（駆動電圧電流）まで増幅するものであり、ドライバ回路１２ｄは、増幅された電流を発光源２１に流して（出力して）発光源２１を駆動（発光）、制御するフラッシャードライバ回路である。これらの回路１２ａ〜１２ｄは、一体型のチップとしてプリント基板（図示せず）上に搭載されている。また、電池１４は、駆動手段１２（増幅回路１２ｃ）を駆動して発光源２１を発光させる動力源であり、このプリント基板（駆動手段１２）と電池１４とは本体３内に配設されている。
【００１４】
表示手段１３は、発光源２１とプリズム２２とループバンド２３とから構成されている。発光源２１は、本実施形態では、緑色ＬＥＤ２１ａ（発光素子）と赤色ＬＥＤ２１ｂと黄色ＬＥＤ２１ｃとから構成されている。プリズム２２はアクリル製のプリズムレンズで、図３に示すような三角柱状に形成され、図中三角柱の軸線が水平になるように配設されている。そして、このプリズム２２の三角形の底面２２ａに対向してＬＥＤ２１ａ〜２１ｃが軸線方向に配設されている。また、ループバンド２３は、透明度の高いポリビニル、ポリプロピレンまたはウレタンなどの透明樹脂（光透過性材）製で、その内部に複数の気泡２３ａが含有され、図１に示すように、その幅方向の両縁には淵２３ｂが形成されている。このループバンド２３の両端部２３ｃ、２３ｄは、図３に示すように、プリズム２２の三角形の両側面２２ｂ、２２ｃに沿う（面接触する）ように形成され、かつ、三角形の両側面２２ｂ、２２ｃのそれぞれに対向してループバンド２３の両端部２３ｃ、２３ｄが配設されている。また、ＬＥＤ２１ａ〜２１ｃとプリズム２２との周側を囲うように、遮蔽板２４が配設され、この遮蔽板２４によってＬＥＤ２１ａ〜２１ｃおよびプリズム２２からの光が周側に漏れないようになっている。そして、これらのＬＥＤ２１ａ〜２１ｃ、プリズム２２、遮蔽板２４およびループバンド２３の両端部２３ｃ、２３ｄは、本体３内に配設されている。
【００１５】
このような構成のストラップ１を上述のようにして例えば携帯電話に取り付け、携帯電話が発信または着信すると、ＬＥＤ２１ａ〜２１ｃが点滅するものである。すなわち、携帯電話が発信または着信すると、携帯電話からの電波がアンテナ１１によって受信され、この受信された電波が駆動手段１２によって復調、増幅されてＬＥＤ２１ａ〜２１ｃが点滅する。このＬＥＤ２１ａ〜２１ｃからの光はプリズム２２によって、図３に示すように、プリズム２２の底面２２ａから両側面２２ｂ、２２ｃに向かい、ループバンド２３の両端部２３ｃ、２３ｄへと伝達（誘導）される。さらに、この光はループバンド２３内の気泡２３ａに当って屈折、拡散（乱反射）しながら、ループバンド２３内を透過してゆく。そして、この光の屈折、拡散によって、ループバンド２３全体が発光しているように視覚されるものである。これに対し、気泡２３ａが含有されていないと、ループバンド２３（光透過性材）の屈折率が高いために、光はループバンド２３内を直進し、視覚することができない。
【００１６】
このように、ループバンド２３の両端部２３ｃ、２３ｄとＬＥＤ２１ａ〜２１ｃとの間にプリズム２２を配設するだけの構成で、すなわち、簡単な構成でループバンド２３内に複数の発光素子や電極を埋設することなく、ループバンド２３全体が発光しているように視覚させることができる。そして、構成が簡単で部品点数も少ないことから、ストラップ１の製造コストが低減され、また、ループバンド２３内に発光素子や電極が埋設されていないため、ループバンド２３を曲げたりしても発光素子などが損傷することもない。
【００１７】
また、プリズム２２によって、ＬＥＤ２１ａ〜２１ｃからの光が的確かつ効率的にループバンド２３内に伝達（誘導）され、ループバンド２３が良好かつ均一に発光しているように視覚させることができる。すなわち、ループバンド２３の両端部２３ｃ、２３ｄが、プリズム２２の両側面２２ｂ、２２ｃに沿うように形成され、かつ、両側面２２ｂ、２２ｃに対向して配設されているため、プリズム２２の両側面２２ｂ、２２ｃからの光が漏れることなく、より的確かつ効率的にループバンド２３内に伝達される。しかも、ループバンド２３の両端部２３ｃ、２３ｄから光が透過されるため、ループバンド２３全体がより均一に発光しているように視覚されるものである。また、プリズム２２を配設するだけなので構成も簡単であり、しかも、プリズム２２がアクリル製であるため、製造コストも低減される。
【００１８】
さらに、発光源２１が異なる発光色のＬＥＤ２１ａ〜２１ｃで構成されているため、多様な色を多様なパターンで発光させることができる。例えば、特定の色のＬＥＤを一定時間発光保持させ、続いてその他の色のＬＥＤを順次発光させるなどの発光パターンが可能となり、ループバンド２３内に複数の発光素子を埋設する場合と同等の発光パターンを演出することができる。また、本実施形態では、緑色、赤色および黄色のＬＥＤ２１ａ〜２１ｃを配設しているが、レインボー（七色）ＬＥＤなどを配設してもよい。
【００１９】
ところで、本実施形態では、被発光部材としてループバンド２３が配設されているが、その他の形状の被発光部材であってもよいことは勿論であり、その形状を変えることで趣向性を高めることができる。また、ループバンド２３の両端部２３ｃ、２３ｄを発光源２１（プリズム２２）に対向させているが、一端部２３ｃまたは２３ｄのみを対向させるようにしてもよい。さらに、発光源２１としてＬＥＤ２１ａ〜２１ｃが配設されているが、ＥＬ素子などの発光素子やその他の発光源であってもよい。
【図面の簡単な説明】
【００２０】
【図１】本発明の実施形態に係るストラップの斜視図。
【図２】本発明の実施形態に係るストラップの概略構成を示すブロック図。
【図３】本発明の実施形態に係るストラップの発光源とプリズムとループバンドの両端部の位置関係を示す側面図。
【符号の説明】
【００２１】
１                 ストラップ（移動通信機器用アクセサリ）
２                 吊り紐
３                 本体
１１               アンテナ
１２               駆動手段
１３               表示手段
２１               発光源２１
２１ａ             緑色ＬＥＤ
２１ｂ             赤色ＬＥＤ
２１ｃ             黄色ＬＥＤ
２２               プリズム
２２ａ             底面
２２ｂ、２２ｃ     側面
２３               ループバンド（被発光部材）
２３ａ             気泡
２３ｃ、２３ｄ     端部
【図１】
2006237799.tif 000003
【図２】
2006237799.tif 000004
【図３】
2006237799.tif 000005